(57)【特許請求の範囲】
【請求項１】
トンネルの入出口に設けられる緩衝工において、
緩衝工の外部側車両入出端に設けられ、緩衝工の主断面から外部側車両入出端に向かって断面積が逓増する開端部を備えたことを特徴とするトンネル入出口に発生する低周波音を低減する緩衝工。
【請求項２】
トンネルの入出口に設けられる緩衝工において、
緩衝工のトンネル側車両入出端に設けられ、緩衝工の主断面からトンネルの主断面にかけて断面積が逓減する絞り部を備えたことを特徴とするトンネル入出口に発生する低周波音を低減する緩衝工。
【請求項３】
トンネルの入出口に設けられる緩衝工において、
緩衝工の外部側車両入出端の覆体構造物の一部を切欠いた切欠き部、もしくは、緩衝工の外部側車両入出端に設けられ、緩衝工の主断面から外部側車両入出端に向かって断面積が逓増する開端部と、
緩衝工のトンネル側車両入出端に設けられ、緩衝工の主断面からトンネルの主断面にかけて断面積が逓減する絞り部とを備えたことを特徴とするトンネル入出口に発生する低周波音を低減する緩衝工。
【請求項４】
前記絞り部は、緩衝工の覆体のトンネル側車両入出端部によりなることを特徴とする請求項２または３に記載されたトンネル入出口に発生する低周波音を低減する緩衝工。
【請求項５】
前記絞り部は、トンネルの前記入出口の一部からなることを特徴とする請求項２または３に記載されたトンネル入出口に発生する低周波音を低減する緩衝工。
【発明の詳細な説明】
【０００１】
【発明の属する技術分野】
本発明は、新幹線や浮上式鉄道などの高速車両がトンネルに突入し、又はトンネルから退出する際にトンネルの突入口又は退出口（以下入出口と言う。）で発生し、入出口周辺に放射される低周波の圧力波（以下低周波音と言う。）を低減する緩衝工に関する。
【０００２】
【従来の技術】
従来この種の緩衝工としては、特公昭５５−３１２７４号公報「トンネル出口空気音圧の低減方法」に記載された緩衝工がよく知られている。
この先行技術（以下、第１の先行技術という。）は、図５に示すようにトンネルに高速車両が突入した際にトンネル内に発生する圧縮波が、トンネル内を伝搬する過程で波形の立上がりが急峻となり、トンネル出口に達した際にトンネル外部に放射されることにより生ずる空気圧音（以下微気圧波と言う。）を低減することを目的としたもので、トンネル入口、断面がトンネル断面より大きく、長さがトンネル直径の１〜３倍程度の覆体を連設し、覆体延長のほぼ中央に覆体の断面積と覆体の長さから決められた最適面積を有する開口部を１個ないし複数個設けることによって、列車がトンネルに突入する時に生じる圧縮波面の勾配をなめらかにすることを特徴としている。
【０００３】
また、特開平９−２２８７８４号公報や、特開平９−２２８７８５号公報には、上記覆体の所定長、断面形状、トンネルとの断面積の比や開口部の形状、面積等の各諸元の最適化に関する技術も開示されている。
さらに、特開平４−５５５９８号公報の、トンネル内に多数の案内板を設け空気波動を減衰する技術や、特開平４−１０９０００号公報の、トンネル出口近傍に多層のエアカーテンを設け微気圧波を減衰する技術等も提案されている。
【０００４】
一方、近年、新幹線車両の高速化や、浮上式鉄道の開発等車両の高速化に伴い、上記微気圧波ばかりでなく、図４、ａ）及びｂ）に示すように、高速車両がトンネルに突入し、又はトンネルから退出する際にトンネルの入出口で発生し、入出口周辺に直接放射される低周波音のエネルギーも大きくなり、トンネル入出口近くの家屋や建具を振動させる原因となり得る様になってきた。
【０００５】
【発明が解決しようとする課題】
しかしながら、前記第１の先行技術に係るトンネル緩衝工は前述のように、列車がトンネルに突入する際にトンネル内に向けて放射される圧力波の波形をなだらかにすることにより、トンネル出口で発生する微気圧波を低減することを目的としており、トンネル入出口周辺に直接放射される低周波音についてもある程度の低減効果はあるものの、特に高速車両が外部から緩衝工や、緩衝工からトンネル入口へ突入する際、また、トンネルから緩衝工や、緩衝工から外部へ退出する際に、トンネルと反対方向に放射される低周波音については十分な低減効果を発揮し得ない問題点があった。
【０００６】
また、前記緩衝工の諸元の最適化に関する技術、また案内板、エアカーテン等の先行技術も前記第１の先行技術と同様トンネル内を伝搬する圧力波により発生するトンネル出口における微気圧波の低減を目的としており、外部へ直接放射される低周波音を対象としてなされたものではない。
【０００７】
本発明はかかる問題点を解決し、高速車両が外部から緩衝工や、緩衝工からトンネル入口へ突入する際、また、トンネルから緩衝工や、緩衝工から外部へ退出する際に、外部へ直接放射される低周波音についても低減効果の大きい緩衝工を提供することを目的とする。
【０００８】
【課題を解決するための手段】
上記課題を解決するために本発明に係るトンネル入出口に発生する低周波音を低減する緩衝工は、トンネルの入出口に設けられる緩衝工において、緩衝工の外部側車両入出端に設けられ、緩衝工の主断面から外部側車両入出端に向かって断面積が逓増する開端部を備えたことを特徴とする。
【０００９】
また、緩衝工のトンネル側車両入出端に設けられ、緩衝工の主断面からトンネルの主断面にかけて断面積が逓減する絞り部を備えたことを特徴とする。
【００１０】
また、好ましくは、緩衝工の外部側車両入出端の覆体構造物の一部を切欠いた切欠き部、もしくは、緩衝工の外部側車両入出端に設けられ、緩衝工の主断面から外部側車両入出端に向かって断面積が逓増する開端部と、緩衝工のトンネル側車両入出端に設けられ、緩衝工の主断面からトンネルの主断面にかけて断面積が逓減する絞り部とを備えたことを特徴とする。
【００１１】
なお、前記絞り部は、緩衝工の覆体のトンネル側車両入出端部により構成することとしてもよい。
【００１２】
さらにまた、前記絞り部は、トンネルの前記入出口の一部により構成してもよい。
【００１３】
【発明の実施の形態】
以下、本発明の実施例を表す図面を参照して本発明の実施の形態について説明する。
図１は本発明に係るトンネル入出口に発生する低周波音を低減する緩衝工の一実施例を摸式的に表した概念図であり、ａ）は上平面図、ｂ）は側面図、ｃ）は斜視図である。
【００１４】
図１を参照して、本発明の緩衝工を構成する開口部４を有する覆体１は、その実効長Ｌ、主断面積、また開口部４の位置、面積等トンネル出口の微気圧波を低減するための従来公知の適宜の技術による諸元を有し、トンネル入出口に接してその外方に設けられているが、従来技術による覆体諸元に加え、覆体１の外部側車両入出端には、図に示すように壁や天井等覆体構造物の一部を切欠いた切欠き部２とが設けられている。
この切欠き部２により、緩衝工の外部側車両入出端の実効断面積が大きくなり、高速車両が外部から緩衝工に突入する際に外部へ放射される圧力波の立上がりが緩和されると共に拡散され、低周波音の強度を低減することができる。
【００１５】
上記覆体１の外部側車両入出端に設けられた覆体構造物の切欠き部２に加え、図１の覆体１のトンネル側車両入出端には、緩衝工主断面からトンネル主断面に向けて断面積が逓減するように形成された絞り部３が設けられている。
この絞り部３により緩衝工からトンネルに車両が突入する際の断面積変化が緩和され、圧力波が緩和されることとなり、さらに切欠き部２により拡散され、緩衝工からトンネルに車両が突入する際に外部へ放射される低周波音の強度を低減することができる。
【００１６】
以上、高速車両が、外部から緩衝工へ、また緩衝工からトンネルに突入する際に外部へ直接放射される低周波音の低減効果について説明したが、本実施形態に係る緩衝工は、高速車両がトンネルから緩衝工へ、また緩衝工から外部へ退出する際に外部へ直接放射される低周波音についても同様の低減効果を有する。
【００１７】
なお、図１の実施例では、緩衝工のトンネル側車両入出端に覆体１の一部として絞り部３を設けているが、図２に示すようにトンネルの入出端に絞り部３を設けることとしても同様の効果を得ることができることは明らかである。
【００１８】
また、切欠き部２の形状も図１の実施例に限られるものではなく、例えば、図３のａ）、ｂ）に例示する他の実施例のように、緩衝工の外部側車両入出端の実効断面積を拡大する形状であれば、立地条件等の設計仕様に従って適宜の形状としても良い。また、立地条件が許せば切欠き部２ではなく、図３のｃ）に例示するように外部側車両入出端に向かって断面積が逓増する開端部２’を設け実際に緩衝工の外部側車両入出端の断面積を拡大することとしてもよい。
【００１９】
さらに、トンネル入出口に発生する低周波音を低減するためには本実施形態に係る実施例の緩衝工の様に、切欠き部２と絞り部３を共に備えていることが好ましいが、設計上の都合等で切欠き部２もしくは開端部２’と絞り部３のどちらか一方を設けることとしても、一定の効果を得ることができる。
【００２０】
【発明の効果】
以上述べたように、本発明に係るトンネル入出口に発生する低周波音を低減する緩衝工によれば、外部側車両入出端に覆体構造物に切欠き部を備えることにより、緩衝工の外部側車両入出端の実効断面積が大きくなり、高速車両が外部から緩衝工に突入し、あるいは退出する際に直接外部へ放射される低周波音の強度を低減することができる。またトンネル側車両入出端に断面積を逓減する絞り部を備えることによりさらに、緩衝工からトンネルに高速車両が突入し、また退出する際に直接外部へ放射される低周波音の強度を低減することができる。
【図面の簡単な説明】
【図１】本発明に係るトンネル入出口に発生する低周波音を低減する緩衝工の一実施例を摸式的に表した概念図である。
【図２】図１の絞り部３をトンネル側に設けた例を示す側面図である。
【図３】本発明に係るトンネル入出口に発生する低周波音を低減する緩衝工の他の実施例を示す斜視図である。
【図４】本発明の対象とするトンネル入出口に発生する低周波音を説明する概念図である。
【図５】従来の緩衝工が対象としていたトンネル出口に発生する微気圧波を説明する概念図である。
【符号の説明】
１  緩衝工覆体
２  切欠き部
２’  開端部
３  絞り部
４  覆体開口部
【図１】
0003822368.tif 000002
【図２】
0003822368.tif 000003
【図３】
0003822368.tif 000004
【図４】
0003822368.tif 000005
【図５】
0003822368.tif 000006